(57)【要約】      （修正有）【課題】作動をスムーズにし、部品の破損及び製品の信頼性の低下を防止するデジタルカムコーダーの光学フィルタ切換装置を提供する。【解決手段】画像情報から第１の波長域の光を通過させる第１の光学フィルタと、第２の波長域の光を通過させる第２の光学フィルタを備え、レンズアセンブリのハウジングに回転自在に固定された光学フィルタ固定部を、第１及び第２の光学フィルタのいずれか一方が画像情報の経路に選択的に位置できるように、光学フィルタ固定部と連動する第１の端部を備え、ハウジングに回転自在に固定された切換レバーと、レンズアセンブリを封じ止める外ケース体に摺動自在に取り付けられた作動部、及び第１の端部と所定の角度をもって形成された切換レバーの第２の端部と作動部とを連結し、作動部の運動を切換レバーの第２の端部の回転軌跡の接線方向の運動に変換するリンク部とを含む。【選択図】図５Ａ
2005260946.tif 000002
【特許請求の範囲】
【請求項１】
外部から入力される画像情報から第１の波長域の光を通過させる第１の光学フィルタと、画像情報から第２の波長域の光を通過させる第２の光学フィルタを備え、レンズアセンブリのハウジングに回転自在に固定された光学フィルタ固定部と；
前記光学フィルタ固定部を、前記第１及び第２の光学フィルタがそれぞれ画像情報の経路に位置する第１及び第２の光学フィルタのセッティング位置のいずれか一方に選択的に位置できるよう、前記光学フィルタ固定部と連動する第１の端部を備え、前記ハウジングに回転自在に固定された切換レバーと；
前記レンズアセンブリを封じ止める外ケース体に摺動自在に取り付けられた作動部と；
前記第１の端部と所定の角度をもって形成された前記切換レバーの第２の端部と前記作動部とを連結し、前記作動部の運動を前記切換レバーの前記第２の端部の回転軌跡の接線方向の運動に変換するリンク部とを含むことを特徴とするデジタルカムコーダーの光学フィルタ切換装置。
【請求項２】
前記リンク部は、その一端部が前記作動部に軸支され、他端部が前記切換レバーの前記第２の端部を遊動自在に収容する遊動ホールを備えるリンク部材を含むことを特徴とする請求項１に記載のデジタルカムコーダーの光学フィルタ切換装置。
【請求項３】
前記作動部は、
前記外ケース体の側壁から外側に突出し、前記外ケース体に形成されたスライダースロット内を移動するように設けられた突出ノブと；
前記突出ノブに連結され、上下方向に一定角度の傾斜摺動できるように固定されたスライダーと；
前記スライダーにおいて前記外ケース体の側壁の内側に突出し、前記リンク部の一端部に軸支される回動軸を有する突出部材とを含むことを特徴とする請求項２に記載のデジタルカムコーダーの光学フィルタ切換装置。
【発明の詳細な説明】
【技術分野】
【０００１】
本発明は、デジタルカムコーダーの光学フィルタ切換装置に係り、より詳しくは、昼・夜間用光学ローパスフィルタ（ＯＬＰＦ）を必要に応じて切換可能なデジタルカムコーダーの光学フィルタ切換装置に関する。
【背景技術】
【０００２】
一般に、デジタルカムコーダーは、カラーの再現性によってカラー再現機能を有するカムコーダーと、カラー／白黒の再現機能を有するカムコーダーとに大別される。
【０００３】
カラー／白黒の再現機能を有する兼用カムコーダーは、光量が十分な昼間には別の照明を要することなく周辺の光量を用いてカラー画像を再現し、人の視覚では認識できない暗い所や夜間では、ストロボまたはフラッシュを用いてレンズの光量を補うことでカラー画像を再現し、また、レンズの両側から前方に向かって赤外線を照射することでレンズの光量を補う複数個の赤外線発光ダイオード（ＩＲ  ＬＥＤ）を用いて白黒画像を再現する。
【０００４】
従って、カラー／白黒の再現機能を有するカムコーダーは、カラー画像を再現する場合には、人の視覚特性に一致させるべく人が感知する可視光線の波長域（例えば、４００〜７００ｎｍ）を使用し、白黒画像を再現する場合には、赤外線の波長（例えば、９００ｎｍ）を使用するようになる。しかし、カラー／白黒の再現機能を有するカムコーダーにおいて光を電気信号に変換する光電変換センサーとして使用されるＣＣＤまたはＣＭＯＳ方式の撮像素子は、通常、カラー画像と白黒画像とを区分せずに一つだけを使用するため、可視光線と赤外線のいずれもがレンズから入力される昼間では、可視光線と赤外線との波長の差により焦点の結ぶ距離が変わり、この結果、フォーカスずれ現象が発生する。
【０００５】
このような現象を防止するために、カラー／白黒の再現機能を有するカムコーダーは、撮像素子の前で赤外線をカットし可視光線だけを通過させる昼間用光学フィルタと赤外線を通過させる夜間用光学フィルタとを切換自在に設け、必要に応じて該当フィルタに切り換えられる方法を使用している。
【０００６】
図１及び図２は、一般のカラー／白黒の再現機能を有するカムコーダーに使用される光学フィルタ切換装置１０を例示する。
【０００７】
光学フィルタ切換装置１０は、レンズアセンブリ３のハウジング４の後方固定板７に回動自在に固定され、昼間用光学フィルタ（図示せず）と夜間用光学フィルタ（図示せず）を備えた光学フィルタ固定部（図示せず）、光学フィルタ固定部を昼間用光学フィルタがレンズ５と撮像素子（図示せず）との間の画像情報の移動経路に位置する昼間用光学フィルタのセッティング位置（図２中の点線）と夜間用光学フィルタレンズ５と撮像素子との間の画像情報の移動経路に位置する夜間用光学フィルタのセッティング位置（図２中の実線）との間を回動させるべくハウジング４の後方固定板７に回動自在に固定された切換レバー１１、及び光学フィルタ固定部を昼間用光学フィルタのセッティング位置と夜間用光学フィルタのセッティング位置との間を移動させるべく切換レバー１１を動作する作動部１５とを備える。
【０００８】
作動部１５は、カムコーダーの外ケース体１の外部に突出し、外ケース体１に形成されたスライダースロット１ａ内を移動するように設けられた突出ノブ１７及び外ケース体１に形成されたホルダー２２に上下移動自在に固定されたスライダー１９を備える。
【０００９】
スライダー１９の内側には、切換レバー１１の軸方向の突出端部１１ａを回動自在に保持する回動ホール２１ａを形成した突出部材２１が形成されている。
【００１０】
このように構成された光学フィルタ切換装置１０の動作を簡単にみてみると、次の通りである。
【００１１】
まず、光学フィルタ切換装置１０がカラー画像を再現する昼間モード、即ち、図２において点線で示すように、作動部１５の突出ノブ１７が下部に位置して光学フィルタ固定部が昼間用光学フィルタのセッティング位置に位置したと仮定すれば、照明の変化によって夜間用光学フィルタに切り換えるか、または、特殊効果の目的のためにカラー画像を再現する昼間モードで白黒画像を再現する夜間モード、即ち、図２中の実線で示すように、光学フィルタ固定部が夜間用光学フィルタのセッティング位置に位置するように変更したい場合、ユーザは、作動部１５の突出ノブ１７を下部から上方に引き上げる。
【００１２】
その結果、図２において実線で示すようにスライダー１９の内側に突設した突出部材２１が上昇し、これに伴い、突出部材２１の回動ホール２１ａに回動自在に保持された切換レバー１１の軸方向突出端部１１ａも同じく上昇することで切換レバー１１を回動させる。
【００１３】
切換レバー１１の回動に伴い、切換レバー１１の軸方向突出端部１１ａの反対側で切換レバー１１に連結された光学フィルタ固定部は、相応して回動して夜間用光学フィルタをレンズ５と撮像素子との間の画像情報の移動経路に位置させる夜間用光学フィルタのセッティング位置に移動し、その結果、光学フィルタ切換装置１０は、夜間モードにセットされる。
【００１４】
このように、光学フィルタ切換装置１０が夜間モードに切り換えられた状態で撮像を行った後、再び光学フィルタ切換装置１０を昼間モードに切り換える場合、ユーザは、作動部１５の突出ノブ１７を上部から下部に移動させ、これにより、突出部材２１、切換レバー１１、光学フィルタ固定部等は、上述したことと逆に動作して光学フィルタ固定部を夜間用光学フィルタのセッティング位置から昼間用光学フィルタのセッティング位置に移動させ、光学フィルタ切換装置１０は、昼間モードにセットされる。
【００１５】
しかし、このように動作する従来の光学フィルタ切換装置１０では、作動部１５の突出部材２１が外ケース体１に沿って上下に直線運動をするのに対し、突出部材２１に連結された切換レバー１１は直線運動をする構造、即ち、運動軌跡が相互相違している突出部材２１と切換レバー１１とが直接に連結された構造となっているため、昼間／夜間モードへの切換の時、突出部材２１が突出ノブ１７により上下に移動する時、突出部材２１の直線運動が回転運動をする切換レバー１１にスムーズに伝わり難いという問題点があった。
【００１６】
このように突出部材２１の運動が切換レバー１１にスムーズに伝わらないと、まずユーザが突出ノブ１７を移動させ難くなるのみならず、場合によっては、または長期間繰り返す場合、突出部材２１と切換レバー１１との連結部、即ち、軸方向突出端部１１ａ等が破損され、その結果、製品全体の信頼性が低下する。
【発明の開示】
【発明が解決しようとする課題】
【００１７】
本発明は、前記のような問題点を解決するためになされたものであって、本発明の主な目的は、作動をスムーズにし、それにより関連部品の破損及び製品の信頼性の低下といった問題を防止するデジタルカムコーダーの光学フィルタ切換装置を提供することである。
【課題を解決するための手段】
【００１８】
前記のような目的を達成するために、本発明は、外部から入力される画像情報から第１の波長域の光を通過させる第１の光学フィルタと、画像情報から第２の波長域の光を通過させる第２の光学フィルタを備え、レンズアセンブリのハウジングに回転自在に固定された光学フィルタ固定部と、光学フィルタ固定部を、第１及び第２の光学フィルタがそれぞれ画像情報の経路に位置する第１及び第２の光学フィルタのセッティング位置のいずれか一方に選択的に位置できるように、光学フィルタ固定部と連動する第１の端部を備え、ハウジングに回転自在に固定された切換レバーと、レンズアセンブリを封じ止める外ケース体に摺動自在に取り付けられた作動部及び第１の端部と所定の角度をもって形成された切換レバーの第２の端部と作動部とを連結し、作動部の運動を切換レバーの第２の端部の回転軌跡の接線方向の運動に変換するリンク部とを含むことを特徴とするデジタルカムコーダーの光学フィルタ切換装置を提供する。
【００１９】
好適な実施例において、リンク部は、その一端部が作動部に軸支され、他端部が切換レバーの第２の端部を遊動自在に収容する遊動ホールを備えるリンク部材からなる。
【００２０】
作動部は、外ケース体の側壁から外側に突出し、外ケース体に形成されたスライダースロット内を移動するように設けられた突出ノブと、突出ノブに連結され、上下方向に一定の角度の傾斜摺動できるように固定されたスライダー及びスライダーにおいて外ケース体の側壁の内側に突出し、リンク部の一端部に軸支される回動軸を有する突出部材とからなることが好ましい。
【発明の効果】
【００２１】
本発明のデジタルカムコーダーの光学フィルタ切換装置は、昼間及び夜間の照明の変化に伴い、それに合う光学フィルタに切り換える時、または特殊効果の目的のために光学フィルタを切り換える時、作動部の突出部材の上下への直線運動を、回転運動をする切換レバーにスムーズに伝えることにより、作動部の突出ノブの移動をスムーズにし、それにより関連部品の破損及び製品の信頼性の低下といった問題を防止する効果を奏する。
【発明を実施するための最良の形態】
【００２２】
以下、本発明に係るデジタルカムコーダーの光学フィルタ切換装置について、添付図面に基づいて詳しく説明すると、次の通りである。
【００２３】
図３及び図４は、カラー／白黒の再現機能を有するデジタルカムコーダーに使用される本発明に係る光学フィルタ切換装置１１０を例示する。
【００２４】
光学フィルタ切換装置１１０は、所定の間隔をおいて形成された昼間用光学フィルタ１３０（図５Ａ）と夜間用光学フィルタ１２９を備え、レンズアセンブリ１０３のハウジング１０４の後方固定板１０７に回動自在に固定された光学フィルタ固定部１３１と、光学フィルタ固定部１３１を昼間用光学フィルタ１３０がレンズ１０５と撮像素子（図示せず）との間の画像情報の移動経路に位置する昼間用光学フィルタのセッティング位置（図４中の点線、図５Ｂ）と夜間用光学フィルタ１２９がレンズ１５０と撮像素子との間の画像経路の移動経路に位置する夜間用光学フィルタのセッティング位置（図４中の実線、図５Ａ）との間を回動させるべく光学フィルタ固定部１３１と連動する第１の端部１１１ａを備え、ハウジング１０４の後方固定板１０７に回動自在に固定された切換レバー１１１と、レンズアセンブリ１０３を封じ止める外ケース体１０１に摺動自在に設けられた作動部１１５と、第１の端部１１１ａと所定の角度をもって形成された切換レバー１１１の第２の端部１１１ｂと作動部１１５とを連結し、作動部１１５の運動を切換レバー１１１の第２の端部１１１ｂの回転軌跡の接線方向の運動Ｓに変換するリンク部１２３とを備える。
【００２５】
図５Ａ及び図５Ｂに示すように、光学フィルタ固定部１３１は、その上部がハウング１０４の後方固定板１０７に形成された第１の軸１３４に回動自在に固定され、下部は、光学フィルタ固定部１３１が昼間用光学フィルタのセッティング位置と昼間用光学フィルタのセッティング位置を超えて回動することを制限すべく後方固定板１０７に形成された第１及び第２のストロボ１３６、１３８に係合する側面１３９、１３９’を有する本体が配される。
【００２６】
昼間用光学フィルタ１３０は、画像情報から赤外線域の光はカットし、可視光線域の光を通過させる赤外線カットフィルタから構成され、夜間用光学フィルタ１２９は、可視光線及び赤外線域の光をいずれも通過させるダミーフィルタから構成される。
【００２７】
切換レバー１１１は、ハウジング１０４の後方固定板１０７に形成された第２の軸１４１に回動自在に固定され、切換レバー１１１の第１の端部１１１ａは、光学フィルタ固定部１３１を回動させるべく光学フィルタ固定部１３１の上部における第１の軸１３４の近傍に、一方が開口してなる第１の遊動ホール１４３に挿入される第１の軸方向突出部１１２ａを備える。
【００２８】
作動部１１５は、カムコーダーの外ケース体１０１の側壁の外部に突出し、外ケース体１０１の側壁に形成された摺動スロット１０１ａに移動自在に設けられた突出ノブ１１７、及び外ケース体１０１に形成されたホルダー１２５に上下移動自在に固定されたスライダー１１９を備える。
【００２９】
スライダー１１９は、上下方向に一定の角度の傾斜摺動できるように固定されることが好ましい。スライダー１１９の内側には、外ケース体１０１の側壁の内側に突出し、後述するリンク部１２３の一端部１２３ａの固定ホール１２８に挿入され軸支される回動軸１２０を有する突出部材１２１が形成される。
【００３０】
リンク部１２３は、その一端部１２３ａが作動部１１５の突出部材１２１の回動軸１２０に軸支され、他端部１２３ｂが切換レバー１１１の第２の端部１１１ｂに形成された第２の軸方向突出部１１２ｂを遊動自在に収容する第２の遊動ホール１２４を備える
（外１）
2005260946.tif 000003
形状に曲げられたリンク部材からなる。
【００３１】
従って、突出部材１２１が突出ノブ１１７により上下に直線運動をする時、リンク部１２３の他端部１２３ｂは、切換部材１１１の第２の端部１１１ｂの第２の軸方向突出部１１２ｂの回転軌跡Ｓの接線方向に移動しながら切換部材１１１を押し上げたり押し下げたりし、その結果、作動部１１５のスライダー１１９と突出ノブ１１７は、何らの制約を受けることなくスムーズに移動する。
【００３２】
以上のように構成された本発明の光学フィルタ切換装置１１０の作用について、図４乃至図５Ａ、図５Ｂに基づいて詳細に説明すると、次の通りである。
【００３３】
まず、光学フィルタ切換装置１１０がカラー画像を再現する昼間モード、即ち、図５Ｂに示すように、作動部１１５の突出ノブ１１７が下部に位置することで光学フィルタ固定部１３１が昼間用光学フィルタのセッティング位置に位置したと仮定すれば、照明の変化に応じて夜間用光学フィルタに切り換えるか、または、特殊効果の目的のために昼間モードから白黒画像を再現する夜間モード、即ち、光学フィルタ固定部１３１を夜間用光学フィルタのセッティング位置に位置するように切り換えたい場合、ユーザは、作動部１１５の突出ノブ１１７を下部から上部に押し上げる。
【００３４】
その結果、スライダー１１９において外ケース体１０１の側壁の内部に突出した突出部材１２１が上昇し、これに伴い、突出部材１２１の回動軸１２０に軸支されたリンク部１２３の一端部１２３ａも上昇する。
【００３５】
その結果、第２の遊動ホール１２４において切換レバー１１１の第２の端部１１１ｂの第２の軸方向突出部１１２ｂに係合したリンク部１２３の他端部１２３ｂは、第２の軸方向突出部１１２ｂの回転軌跡Ｓの接線方向に移動しながら第２の軸方向突出部１１２ｂを押し上げ、その結果、切換レバー１１１は、第２の軸１４１を中心に図５Ａの時計回りに回転する。
【００３６】
切換レバー１１１が時計回りに回転することにより、第１の遊動ホール１４３に挿入支持された第１の端部１１１ａの第１の軸方向突出部１１２ａは、光学フィルタ固定部１３１を第１の軸１３４を中心に反時計回りに回動させるようになる。
【００３７】
従って、夜間用光学フィルタ１２９は、一側面１３９が第２のストッパー１３８によりブロッキングされるまでレンズ１０５と撮像素子との間の画像情報の移動経路に位置する夜間用光学フィルタのセッティング位置（図５Ａ）に移動し、その結果、光学フィルタ切換装置１１０は、夜間モードにセットされる。
【００３８】
このように、光学フィルタ切換装置１１０が夜間モードに切り換えられた状態で撮像を行った後、再び光学フィルタ切換装置１１０を昼間モードに切り換えたい場合には、ユーザは、作動部１１５の突出ノブ１１７を上部から下部に移動させ、これに伴い、突出部材１２１、リンク部１２３、切換レバー１１１、光学フィルタ固定部１３１等は、上述したことと逆に動作して光学フィルタ固定部１３１を夜間用光学フィルタのセッティング位置（図５Ａ）から昼間用光学フィルタのセッティング位置（図５Ｂ）に移動させ、光学フィルタ切換装置１１０は、昼間モードにセットされる。
【００３９】
以上、本発明の特定の好適な実施例について図示し説明したが、本発明は、上述した実施例に限定されるものではなく、特許請求の範囲で請求する本発明の要旨を逸脱することなく当該発明に属する技術分野において通常の知識を有する者であれば誰でも種々の修正と変形実施が可能である。
【産業上の利用可能性】
【００４０】
本発明は、デジタルカムコーダーの光学フィルタ切換装置に適用されて昼間及び夜間用光学フィルタを必要に応じて切換可能にするのに利用することができる。
【図面の簡単な説明】
【００４１】
【図１】従来のデジタルカムコーダーの光学フィルタ切換装置の正面図である。
【図２】図１に示す光学フィルタ切換装置の背面図である。
【図３】本発明に係るデジタルカムコーダーの光学フィルタ切換装置の正面図である。
【図４】図３に示す光学フィルタ切換装置の背面図である。
【図５Ａ】レンズアセンブリのハウジングの後方固定板だけを示し、図３に示す光学フィルタ切換装置の動作を例示する正面図である。
【図５Ｂ】レンズアセンブリのハウジングの後方固定板だけを示し、図３に示す光学フィルタ切換装置の動作を例示する正面図である。
【符号の説明】
【００４２】
１、１０１  外ケース体
３、１０３  レンズアセンブリ
４、１０４  ハウジング
７、１０７  後方固定板
１０、１１０  光学フィルタ切換装置
１１、１１１  切換レバー
１５、１１５  作動部
１７、１１７  突出ノブ
１９、１１９  スライダー
２１、１２１  突出部材
１２３  リンク部
１２９、１３０  光学フィルタ
１３１  光学フィルタ固定部
【図１】
2005260946.tif 000004
【図２】
2005260946.tif 000005
【図３】
2005260946.tif 000006
【図４】
2005260946.tif 000007
【図５Ａ】
2005260946.tif 000008
【図５Ｂ】
2005260946.tif 000009